(57)【要約】【課題】温度検出素子が断線したときに温度測定部が判断した温度と、温度検出素子が正常に接続されたときに温度測定部が判断した温度とに大きな差が生じたとしても、誤って火災警報を発することがない差動式熱感知器を提供することを目的とする。【解決手段】周囲温度によって状態が変化する温度検出素子の温度検出素子温度に基づき監視領域の温度を測定する温度測定部と、ＣＰＵ内の温度を測定するＣＰＵ内温度測定部と、上記温度検出素子が検出した温度検出素子温度と上記ＣＰＵ内温度測定部が測定したＣＰＵ内温度とを記憶する記憶部と、上記温度測定部で検出した温度検出素子温度が上記ＣＰＵ内温度測定部で測定したＣＰＵ内温度よりも所定値以上低いときに、上記温度検出素子温度の代わりに上記ＣＰＵ内温度を上記記憶部に記憶させ、上記記憶部に記憶された温度に基づいて火災を判定する制御部とを有する。【選択図】図２
2012208556.tif 000002
【特許請求の範囲】
【請求項１】
周囲温度によって状態が変化する温度検出素子の温度検出素子温度に基づき監視領域の温度を測定する温度測定部と；
ＣＰＵ内の温度を測定するＣＰＵ内温度測定部と；
上記温度検出素子が検出した温度検出素子温度と上記ＣＰＵ内温度測定部が測定したＣＰＵ内温度とを記憶する記憶部と；
上記温度測定部で検出した温度検出素子温度が上記ＣＰＵ内温度測定部で測定したＣＰＵ内温度よりも所定値以上低いときに、上記温度検出素子温度の代わりに上記ＣＰＵ内温度を上記記憶部に記憶させ、上記記憶部に記憶された温度に基づいて火災を判定する制御部と；
を有することを特徴とする差動式熱感知器。
【請求項２】
請求項１において、
上記制御部は、上記温度検出素子温度がＣＰＵ内温度よりも所定値以上低い状態が所定の時間継続したときに、上記温度検出素子が断線していると判定する手段であることを特徴とする差動式熱感知器。
【請求項３】
請求項１または請求項２において、
上記ＣＰＵ内温度測定部は、上記制御部の温度測定機能を用いることを特徴とする差動式熱感知器。
【発明の詳細な説明】
【技術分野】
【０００１】
本発明は、差動式熱感知器において、サーミスタ等の温度検出素子が断線した後に、上記温度検出素子が正常に接続されたときにおける誤報を防止することができる差動式熱感知器に関する。
【背景技術】
【０００２】
従来、所定の周期で、火災感知器の周囲温度を測定し、所定期間内に測定した温度の最大値と最小値との差に基づいて、温度勾配を算出し、その温度勾配が閾値を超えている場合には、温度が急激に上昇したと判定して火災警報を行う差動式熱感知器が知られている（例えば、特許文献１参照）。
【先行技術文献】
【特許文献】
【０００３】
【特許文献１】特開平０７−０９２０３２号公報
【発明の概要】
【発明が解決しようとする課題】
【０００４】
しかし、従来の差動式熱感知器では、温度検出素子が断線すると、温度測定部は、温度検出素子が検出できる最低温度を測定していると判断し、その後に、温度検出素子が正常に接続されると、温度測定部は、温度検出素子が検出する監視領域の温度を測定する。そして、温度検出素子が断線しているときに測定した温度と、その後に正常に接続された状態で測定した温度との差に基づいて、実際には発生していない温度勾配が発生していると、温度測定部が判断する。
【０００５】
上記従来例では、上記のように、温度検出素子が断線したときに温度測定部が判断した温度と、温度検出素子が正常に接続されたときに温度測定部が判断した温度とに大きな差が生じることがあり、この場合には、火災であると判断され、誤って火災警報を発することがあるという問題がある。
【０００６】
本発明は、温度検出素子が断線したときに温度測定部が判断した温度と、温度検出素子が正常に接続されたときに温度測定部が判断した温度とに大きな差が生じたとしても、誤って火災警報を発することがない差動式熱感知器を提供することを目的とする。
【課題を解決するための手段】
【０００７】
本発明は、周囲温度によって状態が変化する温度検出素子の温度検出素子温度に基づき監視領域の温度を測定する温度測定部と、ＣＰＵ内の温度を測定するＣＰＵ内温度測定部と、上記温度検出素子が検出した温度検出素子温度と上記ＣＰＵ内温度測定部が測定したＣＰＵ内温度とを記憶する記憶部と、上記温度測定部で検出した温度検出素子温度が上記ＣＰＵ内温度測定部で測定したＣＰＵ内温度よりも所定値以上低いときに、上記温度検出素子温度の代わりに上記ＣＰＵ内温度を上記記憶部に記憶させ、上記記憶部に記憶された温度に基づいて火災を判定する制御部とを有する。
【発明の効果】
【０００８】
本発明によれば、温度検出素子が断線したとき等に、温度検出素子に基づき監視領域の温度を測定する温度測定部が検出する温度を記憶する代わりに、ＣＰＵ内温度を記憶部に記憶するので、非火災時には、温度検出素子が断線したとき等に記憶部に記憶された温度データと、上記温度検出素子が正常に接続された後に上記温度測定部が検出した温度データとに大きな温度差がなく、したがって、誤って火災警報を発することがないという効果を奏する。
【図面の簡単な説明】
【０００９】
【図１】本発明の実施例１である差動式熱感知器１００の概要を示す回路図である。
【図２】差動式熱感知器１００の動作を示すフローチャートである。
【発明を実施するための形態】
【００１０】
発明を実施するための形態は、以下の実施例である。
【実施例１】
【００１１】
図１は、本発明の実施例１である差動式熱感知器１００の概要を示す回路図である。
【００１２】
差動式熱感知器１００は、サーミスタ１０と抵抗１１との直列回路と、ＣＰＵ２０と、伝送回路３０と、表示灯４０とを有する。
【００１３】
サーミスタ１０は、温度検出素子であり、差動式熱感知器１００の外部に突出するように設けられ、差動式熱感知器１００の周囲の温度に応じてその抵抗値が変化し、つまり、差動式熱感知器１００の周囲の温度を検出し、その一端が＋Ｂ電源に接続され、抵抗１１の一端が接地され、サーミスタ１０の他端と抵抗１１の他端とが接続されている。
【００１４】
ここで、サーミスタ１０は、温度の上昇に対して抵抗値が減少する所謂ＮＴＣサーミスタである。仮にサーミスタ１０を温度の上昇に対して抵抗値が増加する所謂ＰＴＣサーミスタにした場合は、サーミスタ１０の断線状態は、サーミスタ１０を経由して電流が流れない状態であるため、あたかもサーミスタ１０の抵抗値が増加した、つまりサーミスタ１０が正常である場合に温度が上昇したときと同じ状態であるため、サーミスタ１０が断線したときに火災が発生したと判断して誤って火災警報を発することになる。
【００１５】
ＣＰＵ２０は、いわゆるマイクロコンピュータであり、制御部２１と、Ａ／Ｄコンバータ２２と、記憶部２３と、ＣＰＵ内温度測定部２４とを有する。
【００１６】
制御部２１は、ＣＰＵ２０の全体を制御する。そして、制御部２１は、サーミスタ温度（サーミスタ１０と抵抗１１との接続点に発生する電圧に対応する温度、つまりサーミスタ１０が検出した温度である温度検出素子温度）が、ＣＰＵ内温度（ＣＰＵ内温度測定部２４が測定したＣＰＵ内の温度）よりも、所定値以上低いときに、サーミスタ温度の代わりにＣＰＵ内温度を検出温度として採用する。また、制御部２１は、サーミスタ温度がＣＰＵ内温度よりも所定値以上低い状態が所定の時間継続したときに、サーミスタ１０が断線していると判定する。
【００１７】
Ａ／Ｄコンバータ２２は、サーミスタ１０と抵抗１１との接続点に発生する＋Ｂ電源をサーミスタ１０の抵抗値と抵抗１１の抵抗値とで分圧した電圧（サーミスタ電圧）を入力し、デジタル信号に変換する。
【００１８】
記憶部２３は、サーミスタ電圧をたとえば３秒毎にサンプリングした電圧の値を、４分間半の間記憶する。つまり、記憶部２３は、サーミスタ１０が検出したサーミスタ温度を記憶する。また、ＣＰＵ内温度測定部２４が測定したＣＰＵ内温度よりも、上記サーミスタ温度が所定値以上低いときに、制御部２１の制御によって、上記サーミスタ温度の代わりに上記ＣＰＵ内温度を記憶する。
【００１９】
ＣＰＵ内温度測定部２４は、ＣＰＵ２０が有する温度測定機能に対応し、ＣＰＵ２０を構成する半導体の温度特性に応じた値を出力し、つまり、ＣＰＵ２０の内部の温度（ＣＰＵ内温度）を測定する。
【００２０】
温度測定部２５は、サーミスタ１０と抵抗１１とＡ／Ｄコンバータ２２とによって構成されている。
【００２１】
次に、差動式熱感知器１００の動作について説明する。
【００２２】
図２は、差動式熱感知器１００の動作を示すフローチャートである。
【００２３】
Ｓ１で、サーミスタ温度（サーミスタ１０が検出した温度）、ＣＰＵ内温度（ＣＰＵ２０が測定した温度）を、制御部２１が取得し、Ｓ２で、サーミスタ温度がたとえば−３０°Ｃ以下であるかどうかを判断する。サーミスタ温度が−３０°Ｃよりも高いと判断されると、サーミスタ１０が故障していないと判断する。このときに、サーミスタ１０が断線故障していることを示すサーミスタ断線故障フラグが立っていれば、Ｓ３で、このサーミスタ断線故障フラグを下げ、サーミスタ１０が正常に接続されていることを記憶する。
【００２４】
そして、Ｓ４で、サーミスタ温度がＣＰＵ内温度よりも、たとえば２０°Ｃ以上低いかどうかを判断する。サーミスタ温度がＣＰＵ温度よりも２０°Ｃ以上低くなければ、サーミスタ温度が信頼できる温度である（サーミスタ１０が断線していない）と判断し、Ｓ５で、サーミスタ温度を、記憶部２３に記憶する。
【００２５】
そして、Ｓ６で、サーミスタ断線故障フラグが立っているか否かを調べ、サーミスタ断線故障フラグが立っていないと判断されると、Ｓ７で、記憶部２３が記憶している温度（過去４分間半の間にサンプリングした温度）のうちで、その最高値とその最高値よりも前の時間のその最低値との差が、所定の閾値以上であるかどうかを判断する。記憶部２３が記憶している温度の最高値と最高値よりも前の時間の最低値との差が所定の閾値以上であると判断されれば、つまり、温度が閾値以上、すなわち過去４分間半の間に温度が閾値以上上昇したと判断されれば、Ｓ８で、火災警報を発生する。
【００２６】
なお、Ｓ６でサーミスタ断線故障フラグが立っていると判断されれば、Ｓ１に戻る。
【００２７】
一方、Ｓ２で、サーミスタ温度が−３０°Ｃ以下であると判断されると、Ｓ１１で、この状態が所定時間、継続したかどうかを判断する。Ｓ１１で、サーミスタ温度が−３０°Ｃ以下である状態が所定時間継続していなければ、とりあえず、サーミスタ１０が正常に接続されていると判断し、Ｓ４に進む。つまり、サーミスタ１０の検出温度（Ａ／Ｄコンバータ２２の入力端子に入力された電圧に対応する温度）が−３０°Ｃよりも低い状態があっても、それが所定時間継続していなければ、Ｓ４に進む。
【００２８】
Ｓ１１で、サーミスタ温度が−３０°Ｃ以下である状態が所定時間継続したと判断されると、サーミスタ１０が確実に断線していると判断し、Ｓ１２で、サーミスタ１０が断線故障していることを示すサーミスタ断線故障フラグを立て、Ｓ４に進む。
【００２９】
また、Ｓ４で、サーミスタ温度がＣＰＵ内温度よりも２０°Ｃ以上低いと判断されると、サーミスタ温度を記憶する代わりに、ＣＰＵ内温度を記憶部２３に記憶する。つまり、サーミスタ１０が設置されている位置とＣＰＵ２０が設置されている位置とがそれ程離れていないのに、２０°Ｃ以上もの温度差があることは現実的には極めて少ないので、この場合には、サーミスタ１０が断線故障していると判断し、したがって、Ａ／Ｄコンバータ２２の入力電圧に対応する温度が異常であると判断し、サーミスタ温度を記憶する代わりに、ＣＰＵ内温度を記憶部２３に記憶し、後で、記憶部２３に記憶したＣＰＵ内温度を、サーミスタ温度の代わりに使用する場合に備える。
【００３０】
このようにすることによって、差動式熱感知器１００の一部を構成するサーミスタ１０が断線故障した場合に、火災が発生していないのに火災警報を発するという誤報の発生を防止することができる。つまり、温度検出素子が断線したときに、Ａ／Ｄコンバータ２２が抵抗１１を介して接地され、あたかも、サーミスタ１０の抵抗値が増加してサーミスタ電圧が低下し、温度検出素子が検出できる最低温度を測定しているのと同じ状態を温度測定部２５が測定した温度の代わりに、ＣＰＵ内温度測定部２４が測定したＣＰＵ内温度を記憶部２３に格納するので、上記温度検出素子が正常に接続された後に上記温度検出素子が検出した温度データとに大きな差がなく、したがって、誤って火災警報を発することがない。
【００３１】
なお、家屋等の玄関内に差動式熱感知器１００が設置されている場合、特に冬季等において、玄関扉を開けたときに、一瞬、極く低温の外気が玄関内に進入し、差動式熱感知器１００に設けられているサーミスタ１０が低温を検出し、その後、玄関扉を閉め、玄関内の温度が、室温に向けて急上昇した場合、通常は、火災発生と判断される。しかし、上記実施例によれば、誤報の発生を防止することができる。
【００３２】
また、大型冷蔵庫の近傍に差動式熱感知器１００が設置されている場合、大型冷蔵庫の扉を開けることによって冷気が上記差動式熱感知器１００に達し、サーミスタ温度が急激に低下し、その後に、冷蔵庫の扉を閉じると、室温に向かって急上昇することがあり、この場合も、上記と同様に、誤報の発生を防止することができる。
【００３３】
上記実施例において、サーミスタ１０の代わりに、他の温度検出素子を使用するようにしてもよい。この場合、上記サーミスタ温度は、温度検出素子温度である。
【００３４】
また、上記実施例において、サーミスタ温度とＣＰＵ温度との両方を記憶部２３に記憶すると共に、サーミスタ温度がＣＰＵ温度よりも所定値以上低いか否かを記憶させ、火災判断を行う際にサーミスタ温度とＣＰＵ温度のどちらを採用するかを決定するようにしてもよい。
【００３５】
また、上記実施例において、制御部２１が、上記サーミスタ温度が上記ＣＰＵ内温度よりも所定値以上低い状態が所定の時間継続したときに、サーミスタ１０が断線していると判定するので、サーミスタ温度が極端な温度である場合に、サーミスタ１０が断線していると判断し、したがって、サーミスタ１０の断線を確実に検出することができる。
【００３６】
さらに、ＣＰＵ内温度測定部２４として、制御部２１の温度測定機能を用いるので、近年マイコン等に標準機能として備えられている温度測定機能を利用することができ、よって、ＣＰＵ内温度を測定するための構成を別途設ける必要がないという利点がある。
【符号の説明】
【００３７】
１００…差動式熱感知器、  １０…サーミスタ、  ２０…ＣＰＵ、  ２１…制御部、
２４…ＣＰＵ内温度測定部、  ２５…温度測定部。
【図１】
2012208556.tif 000003
【図２】
2012208556.tif 000004